(57)【要約】      （修正有）【課題】どのような就寝の仕方に対しても掛布団と毛布とのズレを防止できる布団カバーの提供。【解決手段】布団カバーの片面の生地に発砲ウレタンプリントを加工することにより、掛布団と毛布とのズレを防止できる布団カバー。片側のみに設けられた加工面にも毛布を接触させて使用する為、ウレタンが直接肌に接することはない。【選択図】図１
0003108096.tif 000002
【実用新案登録請求の範囲】
【請求項１】
この考案の布団カバーは特に羽毛布団を主体に考案したものであり、従来のカバーであれば就寝中得てして羽毛布団と毛布がそれぞれ
頻繁にズレてしまう。毛布を羽毛布団の下にして休もうが、上にして休もうが、大抵夜中あるいは朝方羽毛布団、毛布ともそれぞれの個性的な寝方により両方ともズレてしばしば目が覚めたり、その寒さで風邪を引いたりする原因になる。その点この布団カバーは片面に発泡ウレタンプリント加工スベリ止めを施し、就寝時どのような寝返りをうとうが、掛け布団や羽毛布団等と毛布は離れることなく、朝まで暖かくぐっすりと就寝出来るわけである。
【考案の詳細な説明】
【技術分野】
【０００１】
布団カバーの片側の生地に発泡ウレタンプリント加工を施すことにより、他の生地を接着させた場合この発泡ウレタンが滑りを阻害する。
【背景技術】
【０００２】
就寝中に掛け布団と毛布が滑らないようにするには今まで比較的表面がざらついているウール毛布とか、アクリル織毛布を使用するしかなかった。しかし現状毛布の９０パーセント強を占めているマイヤー毛布に於いては表面がつるつるしている為これを防ぐ方法はなく、仕方なくたくさん着て寝るとか、毛布を頭からかぶって寝るしかなかった。余分に着て寝ると寝苦しいし、毛布をかぶれば汗をかくし、そうなればかなり面倒である。従来の方法では寒さを防ぐには不充分である。
【考案の開示】
【考案が解決しようとする課題】
【０００３】
本考案では、従来の技術で補えなかった掛け布団と毛布ズレ防止の製品を提供しようとするものである。就寝中に寒さで目が覚めたり又その寒さが原因で風邪を引くのは掛け布団と毛布がズレて就寝中体から離れどこかに飛んでいってしまうからである。このようなことを防ぐにはこれまでこれといった方法がなかった。
【課題を解決するための手段】
【０００４】
そこで、本考案では、従来の布団カバーの片面に特殊加工を施し、どのような寝方に対しても朝まで掛け布団と毛布が離れないように工夫したものである。その特殊加工とは生地に発泡ウレタンプリント加工をすることにより掛け布団と毛布のズレを失くした布団カバーである。又片側のみである為毛布をどのように使おうが掛け布団の上、下どちらでも可能で毛布の面にこのウレタン側を接触させればよく、ウレタンの肌触りが気になる人も直接肌に接することはない。
【考案の効果】
【０００５】
本考案により、掛け布団や羽毛布団と毛布のズレはなくなり、厳寒の中での就寝に於いても寒さで目が覚めることもなく又その為風邪を引くことも少なくなり、朝までぐっすりと就寝できることになる。カバーである為、洗濯はイージーであり、その効果は洗濯後もほとんど変わらない。又全開ファスナー方式である為布団の出し入れは大変イージーである。
【考案を実施するための最良の形態】
【０００６】
本考案になる掛け布団と毛布の滑らない布団カバーは就寝中に掛け布団と毛布が滑って寝床から離れ寒さで目が覚めたり、その為寒さで風邪を引かないように掛け布団と毛布の滑りを止めたカバーである。
【実施例１】
【０００７】
図１は本考案の布団カバーの表、裏生地のプリント方法の図であり、1普通プリント、２発泡ウレタンプリントによってスベリ止めの効果をもつ生地である。
【実施例２】
【０００８】
図２は本考案の布団カバーを使用した就寝形態順の説明図であり上から３布団カバー使用の羽毛布団、４毛布、５人間、６敷布団の就寝形態である。
【実施例３】
【０００９】
図３も図２と同じく就寝形態順の説明図であり上から４毛布、３布団カバー使用の羽毛布団、５人間、６敷布団の就寝形態である。
【図面の簡単な説明】
【００１０】
【図１】布団カバー生地（綿及びＴＣ）の表面プリント方法図面（実施例１）
【図２】布団カバーを使用した就寝形態方法説明図面（実施例２）
【図３】布団カバーを使用した就寝形態方法説明図面（実施例３）
【符号の説明】
【００１１】
１  普通のプリント生地
２  発泡ウレタンプリント生地
３  片面発泡ウレタンプリント布団カバー使用の羽毛布団
４  毛布
５  人間
６  敷布団
【図１】
0003108096.tif 000003
【図２】
0003108096.tif 000004
【図３】
0003108096.tif 000005
【手続補正書】
【提出日】平成16年10月14日(2004.10.14)
【手続補正１】
【補正対象書類名】実用新案登録請求の範囲
【補正対象項目名】全文
【補正方法】変更
【補正の内容】
【実用新案登録請求の範囲】
【請求項１】
表生地と裏生地から成る布団カバーにおいて片側の生地に発泡ウレタンプリント加工を施し滑り止め機能を付与したことを特徴とする布団カバー。
【手続補正２】
【補正対象書類名】明細書
【補正対象項目名】全文
【補正方法】変更
【補正の内容】
【考案の詳細な説明】
【技術分野】
【０００１】この考案は布団カバーの片側の生地に発泡ウレタンプリント加工を施すことにより、他の生地を接着させた場合この発泡ウレタンが滑りを阻害する布団カバーに関するものである。
【背景技術】
【０００２】就寝中に掛布団と毛布が滑らないようにするのは今まで比較的表面がざらついているウール毛布や、アクリルの織毛布を使用するしかなく現状毛布の９０パーセント占めているマイヤー毛布に於いては表面がつるつるしている為これを防ぐ布団カバーはなかった。従来の布団カバーでは毛布がズレてしまい寒さを防ぐのは不充分であった。
【考案の開示】
【考案が解決しようとする課題】
【０００３】本考案では、従来の技術で補えなかった掛布団と毛布のズレ防止の製品を提供しようとするものであり、就寝中に寒さで目が覚めたり又その寒さが原因で風邪を引くのは掛布団と毛布がズレて就寝中身体から離れてしまうからで、このような事を防ぐにはこれまでこれといった方法はなかった。
【課題を解決するための手段】
【０００４】そこで本考案では、従来の布団カバーの片面に特殊加工を施し、どのような寝方に対しても朝まで掛布団と毛布が離れないように工夫した物で、その特殊加工とは生地に発泡ウレタンプリント加工をすることにより掛布団と毛布のズレを防止した布団カバーであり、又片側のみである為毛布をどのように使おうが掛布団の上下どちらでも可能で毛布の面にこのウレタン側を接触させればよく、ウレタンの肌触りが気になる人も直接肌に接することはない。
【考案の効果】
【０００５】本考案により掛布団や羽毛布団と毛布のズレはなくなり、厳寒の中での就寝に於いても寒さで目が覚めることもなく又その為風邪を引くことも少なくなり、朝までぐっすりと就寝できることになる。カバーである為、洗濯はしやすく、その効果は洗濯後もほとんど変わらない。又全開ファスナー方式である為布団の出し入れは大変便利である。
【考案を実施するための最良の形態】
【０００６】本考案になる掛布団と毛布の滑らない布団カバーは就寝中に掛布団と毛布が滑って寝床から離れ寒さで目が覚めたり、その為寒さで風邪を引かないように掛布団と毛布の滑りを止めた布団カバーである。
【実施例１】
【０００７】図１は本考案の布団カバーを表す実施例である。同図のＡは表面を、Ｂは裏面をそれぞれ示しており、普通プリント生地１と発泡ウレタンプリント生地２を重ね合わせた構造で周囲を縫着し形成される。同図の１は従来のプリント加工を施した生地であり、本考案の布団カバーは同図の２に発泡ウレタンプリント加工を施すことにより滑り止め効果の特徴をもつ生地である。
【実施例２】
【０００８】図２は本考案の他の実施例であり、この布団カバーは縁にファスナー３を縫着しファスナー３を開いて布団の出し入れを可能とする布団カバーで従来から知られている。従来の布団カバーはあくまでも普通のプリント等の加工をした生地を使用したものであるが、本考案では前記実施例の場合と同じように発泡ウレタンプリント加工生地を用いている。
【図面の簡単な説明】
【０００９】
【図１】本考案の布団カバーを示す実施例でＡは表面、Ｂは裏面を示す。
【図２】本考案の布団カバーを示す他の実施例。
【符号の説明】
【００１０】１普通プリント生地２発泡ウレタンプリント生地３ファスナー
【手続補正３】
【補正対象書類名】図面
【補正対象項目名】図１
【補正方法】変更
【補正の内容】
【図１】
0003108096.tif 000006
【手続補正４】
【補正対象書類名】図面
【補正対象項目名】図２
【補正方法】変更
【補正の内容】
【図２】
0003108096.tif 000007
【手続補正５】
【補正対象書類名】図面
【補正対象項目名】図３
【補正方法】削除
【補正の内容】